(57)【要約】【課題】製造コストを抑えつつ小型化が可能なカメラ付ドアホン子機を提供する。【解決手段】来訪者を撮影するカメラ１２と、来訪者が居住者を呼び出すために押下される呼出ボタン１１と、来訪者が居住者と通話するためのマイク１３及びスピーカ１４と、来訪者を照らす照明光を発光する照明用ＬＥＤ２２と、通電状態を表示する赤色の表示光を発光する通電表示用ＬＥＤ２３と、を備え、呼出ボタン１１は、透光性材料から形成され、照明用ＬＥＤ２２及び通電表示用ＬＥＤ２３は、呼出ボタン１１の背部に配置されている。【選択図】図１
2015084484.tif 000002
【特許請求の範囲】
【請求項１】
来訪者を撮影するカメラと、
来訪者が居住者を呼び出すために押下される呼出ボタンと、
来訪者を照らす照明光を発光する照明用光源と、
通電状態を表示する表示光を発光する通電表示用光源と、を備え、
前記呼出ボタンは、透光性材料から形成され、
前記照明用光源及び前記通電表示用光源は、前記呼出ボタンの背部に配置されていることを特徴とするカメラ付ドアホン子機。
【請求項２】
前記照明用光源と前記通電表示用光源との間を遮光する遮光部材を備えることを特徴とする請求項１に記載のカメラ付ドアホン子機。
【請求項３】
前記遮光部材は、前記通電表示用光源と前記呼出ボタンの背面との間にわたって設けられるとともに前記通電表示用光源の表示光を前記呼出ボタンの背面へ導く導光孔が形成された筒状の導光筒部を有することを特徴とする請求項２に記載のカメラ付ドアホン子機。
【請求項４】
前記遮光部材は、前記照明用光源の前方側を囲うように配置されるとともに前記呼出ボタンの背面へ向かって次第に広がる筒状の遮光壁部を有することを特徴とする請求項２または請求項３に記載のカメラ付ドアホン子機。
【発明の詳細な説明】
【技術分野】
【０００１】
本発明は、来訪者が居住者を呼び出すためのカメラ付ドアホン子機に関する。
【背景技術】
【０００２】
従来、来訪者が居住者を呼び出すためのドアホン子機として、そのドアホン子機が通電状態であることを示す通電表示灯を備えたものがある。また、来訪者を居住者に確認させるために、来訪者を撮影するカメラと、夜間等の暗い状況においても来訪者を良好に撮影するための照明灯とを備えたカメラ付ドアホン子機がある。
【０００３】
また、照明灯を備えたカメラ付ドアホン子機には、照明灯を呼出ボタンの背部に配置し、照明灯の発する光を呼出ボタンを透過させて照射させる構造のものがある（例えば、特許文献１参照）。
【先行技術文献】
【特許文献】
【０００４】
【特許文献１】特開２０１２−２５７１４９号公報
【発明の概要】
【発明が解決しようとする課題】
【０００５】
上記特許文献１に記載のカメラ付ドアホン子機によれば、照明灯を呼出ボタンの背部に設けたことで、カメラと照明灯を離し、構造の簡略化を図りつつ来訪者への眩しさの低減及び照明光のカメラへの映り込みの低減が図れる。
【０００６】
一方、カメラ付ドアホン子機は、カメラ部品や照明灯などの部品点数の増加により実装密度が高くなりつつある。このため、ドアホン子機のケース内において回路基板やその他の部品を配置する設計自由度が低下している。また、ドアホン子機の内部構造の簡略化や部品点数の削減によって製造コストを低下させることが望まれている。
【０００７】
本発明の目的は、製造コストを抑えつつ部品配置の設計自由度を向上させることが可能なカメラ付ドアホン子機を提供することにある。
【課題を解決するための手段】
【０００８】
上記課題を解決することのできる本発明のカメラ付ドアホン子機は、
来訪者を撮影するカメラと、
来訪者が居住者を呼び出すために押下される呼出ボタンと、
来訪者を照らす照明光を発光する照明用光源と、
通電状態を表示する表示光を発光する通電表示用光源と、を備え、
前記呼出ボタンは、透光性材料から形成され、
前記照明用光源及び前記通電表示用光源は、前記呼出ボタンの背部に配置されていることを特徴とする。
【０００９】
この態様によれば、照明用光源とともに通電表示用光源を呼出ボタンの背部に配置させたことで、来訪者を照らす照明光と通電状態を表示する表示光は、いずれも呼出ボタンを通して照射される。また、照明用光源とともに通電表示用光源を呼出ボタンの背部に配置させたことで、呼出ボタンの背部以外の部分に通電表示用光源を設置するスペースを確保する必要がなくなり、他の部品を配置する設計自由度が向上する。また、呼出ボタンの背部以外の部分に通電表示用光源を設置するための回路基板等の別部品が不要となり、内部構造の簡略化や部品点数の削減によるコストダウンが図れる。
【００１０】
また、本発明のカメラ付ドアホン子機において、前記照明用光源と前記通電表示用光源との間を遮光する遮光部材を備えることにしても良い。
通電表示用光源からの表示光と照明用光源からの照明光とが混ざってしまうと、表示光がぼやけることで違和感が生じる。この態様によれば、表示光と照明光とが混ざることを抑制することができるので、違和感が生じることを防ぐことができる。また、表示光の視認性を高めることができる。
【００１１】
また、本発明のカメラ付ドアホン子機において、前記遮光部材は、前記通電表示用光源と前記呼出ボタンの背面との間にわたって設けられるとともに前記通電表示用光源の表示光を前記呼出ボタンの背面へ導く導光孔が形成された筒状の導光筒部を有することにしても良い。
【００１２】
この態様によれば、導光筒部によって、通電表示用光源の表示光と照明用光源の照明光とが混ざることをさらに確実に抑制することができる。しかも、通電表示用光源の表示光を、拡散を抑えて呼出ボタンの背面へ集中させ、呼出ボタンに点状に表示させて視認性を高めることができる。
【００１３】
また、本発明のカメラ付ドアホン子機において、前記遮光部材は、前記照明用光源の光の前方側を囲うように配置されて前記呼出ボタンの背面へ向かって次第に広がる筒状の遮光壁部を有することにしても良い。
【００１４】
この態様によれば、遮光壁部によって、照明用光源から前方以外の周囲へ向かう光を遮ることができる。これにより、来訪者へ向けて照明光を照射しつつ通電表示用光源の表示光に照明用光源の照明光が混ざることをさらに確実に抑制することができる。また、照明用光源の照明光が呼出ボタン以外へ漏洩することを抑制できる。
【発明の効果】
【００１５】
本発明によれば、製造コストを抑えつつ部品配置の設計自由度を向上させることが可能なカメラ付ドアホン子機を提供することができる。
【図面の簡単な説明】
【００１６】
【図１】本発明の実施形態に係るカメラ付ドアホン子機の一例を示す図であって、（ａ）は正面図、（ｂ）は横断面図、（ｃ）は縦断面図である。
【図２】カメラ付ドアホン子機の呼出ボタン部分を説明する図であって、（ａ）は呼出ボタン部分の横断面図、（ｂ）は呼出ボタン部分の縦断面図である。
【図３】呼出ボタン部材及び遮光部材を示す図であって、（ａ）は表面側から見た分解斜視図、（ｂ）は背面側から見た分解斜視図である。
【図４】遮光部材が装着された呼出ボタン部材の背面側から見た斜視図である。
【図５】遮光部材を設けない場合での通電表示用ＬＥＤの点灯時における呼出ボタンの正面図である。
【図６】通電表示用ＬＥＤの点灯時における呼出ボタンの正面図である。
【図７】遮光部材を設けない場合での通電表示用ＬＥＤ及び照明用ＬＥＤの点灯時における呼出ボタンの正面図である。
【図８】通電表示用ＬＥＤ及び照明用ＬＥＤの点灯時における呼出ボタンの正面図である。
【発明を実施するための形態】
【００１７】
以下、本発明に係るカメラ付ドアホン子機の実施の形態の例を、図面を参照して説明する。
図１は、本発明の実施形態に係るカメラ付ドアホン子機の一例を示す図であって、（ａ）は正面図、（ｂ）は（ａ）の正面図中に示されるＡ−Ａ線断面図（横断面図）、（ｃ）は（ａ）の正面図中に示されるＢ−Ｂ線断面図（縦断面図）である。なお、以下の説明において、表面とは、子機の前方にいる来訪者から見える子機の前面を意味し、背面（裏面）とは表面とは反対側の面のことを意味する。
図１（ａ），（ｂ），（ｃ）に示すように、本実施形態に係るカメラ付ドアホン子機１は、ケース１０を備えている。このケース１０には、呼出ボタン１１、カメラ１２、マイク１３及びスピーカ１４が設けられている。
【００１８】
呼出ボタン１１は、来訪者が居住者を呼び出す際に押下される。カメラ１２は、カメラ付ドアホン子機１の前方を含む周囲を撮影するものであり、来訪者が存在している場合は、その来訪者を撮影するものである。マイク１３は、カメラ付ドアホン子機１の周辺の来訪者の声等の音声を捉えるものである。スピーカ１４は、居住者側の親機のマイクで捉えられた親機周辺の居住者の声等の音声を発するものである。
【００１９】
ケース１０は、カメラ付ドアホン子機１の表面側（前面側）に配置されるケース上１０ａと、カメラ付ドアホン子機１の背面側（裏面側）に配置されるケース下１０ｂと、基台１０ｃとで構成されている。ケース上１０ａとケース下１０ｂとの間には、部品収容スペースＳが形成されている。ケース上１０ａの前面は化粧板としてのパネル１０ｄが覆設される。ケース１０は、基台１０ｃをネジ等で壁面に固定することで壁面に取り付けられる。呼出ボタン１１、カメラ１２、マイク１３及びスピーカ１４は、部品収容スペースＳ内に配置されている。呼出ボタン１１は、ケース上１０ａ及びパネル１０ｄに形成された窓部１５から外部へ突出されている。カメラ１２、マイク１３及びスピーカ１４は、それぞれケース上１０ａの背面側に取り付けられている。
【００２０】
図２は、カメラ付ドアホン子機１の呼出ボタン部分を説明する図であって、（ａ）は呼出ボタン部分の横断面図、（ｂ）は呼出ボタン部分の縦断面図である。
図２（ａ），（ｂ）に示すように、ケース１０の部品収容スペースＳには、回路基板２１が収容されており、ケース上１０ａの背面側に固定されている。回路基板２１には、照明用ＬＥＤ（照明用光源の一例）２２、カメラ付ドアホン子機１が通電状態であることを示す通電表示用ＬＥＤ（通電表示用光源の一例）２３及び呼出スイッチ２４が実装されている。これらの照明用ＬＥＤ２２、通電表示用ＬＥＤ２３及び呼出スイッチ２４は、呼出ボタン１１の背面側に配置されている。照明用ＬＥＤ２２は、回路基板２１に二つ実装されており、通電表示用ＬＥＤ２３は、回路基板２１における二つの照明用ＬＥＤ２２の間に実装されている。呼出スイッチ２４は、回路基板２１における呼出ボタン１１の縁部に対応する位置に実装されている。二つの照明用ＬＥＤ２２は、例えば高輝度の白色ＬＥＤであり、通電表示用ＬＥＤ２３は、例えば赤色ＬＥＤである。呼出ボタン１１には、遮光部材２７が装着されており、この遮光部材２７は、照明用ＬＥＤ２２及び通電表示用ＬＥＤ２３の前面側に配置されている。
【００２１】
図３は、呼出ボタン部材３１及び遮光部材２７を示す図であって、（ａ）は表面側から見た分解斜視図、（ｂ）は背面側から見た分解斜視図である。
図３（ａ），（ｂ）に示すように、呼出ボタン１１は、呼出ボタン部材３１に一体に形成されている。呼出ボタン部材３１は、透光性を有する略透明の合成樹脂材料から形成されている。
【００２２】
呼出ボタン部材３１は、呼出ボタン１１に形成されたフランジ部３２と、フランジ部３２から延在する一対の弾性片３３と、弾性片３３の端部に形成された固定部３４とを有している。
【００２３】
呼出ボタン１１は、背面側が開口された長方形の箱状に形成されており、表面側は操作面１１ａを有している。操作面１１ａの背面１１ｂには、ダイヤカットやシボ加工が施され、光が拡散するよう形成されている。また、操作面１１ａの背面１１ｂにおける中心には、導光突起１１ｃが形成されている。呼出ボタン１１の開口側の一方の長辺の縁部には、その中央部分に、Ｔ字状突起１１ｄが形成されている。このＴ字状突起１１ｄは、呼出スイッチ２４の対向位置に配置される。上述した二つの照明用ＬＥＤ２２と通電表示用ＬＥＤ２３は、呼出ボタン１１の背面側に配置される回路基板２１の素子搭載面（表面）のうち、呼出ボタン１１を表面側から見て呼出ボタン１１の操作面１１ａが投影される領域の部分（呼出ボタンの背部の一例）に配置されている。このように、二つの照明用ＬＥＤ２２と通電表示用ＬＥＤ２３は、呼出ボタン１１の背部に配置されている。
【００２４】
フランジ部３２は、呼出ボタン１１の開口縁から周囲へ張り出すように形成されており、平面視で略長方形状に形成されている。このフランジ部３２には、呼出ボタン１１の周囲を囲うように、止水枠３５が形成されており、この止水枠３５によって雨水の浸入が防止される。フランジ部３２には、呼出ボタン１１の短辺側に、背面側へ向かって突出された係止爪３６が形成されている。また、フランジ部３２には、Ｔ字状突起１１ｄが形成された呼出ボタン１１の一方の長辺側に、背面側へ突出する一対の移動規制突起３８が形成されている。
【００２５】
弾性片３３は、フランジ部３２における呼出ボタン１１の短辺側に一体に形成されている。これらの弾性片３３は、移動規制突起３８側と反対側へ向かって延在されている。固定部３４は、弾性片３３の端部に一体に形成されており、それぞれ表裏に貫通する挿通孔３４ａを有する筒状に形成されている。
【００２６】
遮光部材２７は、遮光性を有する黒色等の合成樹脂から形成されている。遮光部材２７は、ベース部４１と、遮光壁部４２と、導光筒部４３とを有している。
【００２７】
ベース部４１は、長方形の平板状に形成されており、その両端には、外側へ張り出す係止部４１ａが形成されている。このベース部４１には、二つの導光窓４１ｂが形成されている。これらの導光窓４１ｂは、照明用ＬＥＤ２２に対応する位置に形成されている。
【００２８】
遮光壁部４２は、導光窓４１ｂの縁部から背面側へ突出するように形成されている。これらの遮光壁部４２は、表面側へ向かって次第に広がる角筒状に形成されている。遮光壁部４２は、遮光部材２７が呼出ボタン部材３１に装着された状態において、照明用ＬＥＤ２２の光の出射方向の前方側を囲うように配置されるとともに呼出ボタン１１の背面へ向かって次第に広がる筒状の形状を有している。
【００２９】
導光筒部４３は、円筒状に形成されており、ベース部４１の中心に形成されている。この導光筒部４３は、ベース部４１の表裏から突出するように形成されており、一端から他端にわたって貫通する導光孔４３ａを有している。導光筒部４３は、ベース部４１の背面側から表面側に向かって僅かに細くなる円筒状に形成されている。
【００３０】
図４は、遮光部材２７が装着された呼出ボタン部材３１の背面側から見た斜視図である。
図４に示すように、遮光部材２７は、呼出ボタン部材３１における呼出ボタン１１と反対側（背面側）から装着される。遮光部材２７は、呼出ボタン部材３１へ押し付けることで、ベース部４１の係止部４１ａに、呼出ボタン部材３１のフランジ部３２に形成された係止爪３６が係止される。これにより、遮光部材２７は、呼出ボタン部材３１に組み付けられる。
【００３１】
このように、遮光部材２７を呼出ボタン部材３１に組み付けると、遮光部材２７のベース部４１が呼出ボタン部材３１のフランジ部３２に当接し、呼出ボタン１１の開口部分が封鎖される。また、遮光部材２７の導光筒部４３の一端が、呼出ボタン１１の背面１１ｂの中心に形成された導光突起１１ｃを臨む位置に配置される。
【００３２】
上記のように、遮光部材２７が装着された呼出ボタン部材３１は、その呼出ボタン１１がケース上１０ａ及びパネル１０ｄに形成された窓部１５から外部へ突出するようにケース上１０ａに組み付けられる。すると、ケース上１０ａに形成された固定ピン（図示略）が固定部３４の挿通孔３４ａに挿し込まれる。この状態で、回路基板２１が固定されることで、呼出ボタン部材３１の固定部３４が回路基板２１とケース上１０ａとで挟まれて固定され、呼出ボタン部材３１がケース上１０ａと回路基板２１との間に組み付けられる。
【００３３】
このように、呼出ボタン部材３１及び回路基板２１をケース上１０ａに組み付けることで、遮光部材２７は、遮光壁部４２の端部が、照明用ＬＥＤ２２を臨む位置に、隙間をあけて配置され、導光筒部４３の端部が、通電表示用ＬＥＤ２３を臨む位置に、隙間をあけて配置される。また、呼出ボタン１１のＴ字状突起１１ｄは、呼出スイッチ２４を臨む位置に、隙間をあけて配置される。
【００３４】
このようにして組み立てられたカメラ付ドアホン子機１では、電源から給電されることで、通電表示用ＬＥＤ２３が点灯する。すると、この通電表示用ＬＥＤ２３から発せられた赤色光は、遮光部材２７の導光筒部４３の導光孔４３ａを通り、呼出ボタン１１の背面１１ｂに導かれ、操作面１１ａの中心に形成された導光突起１１ｃに入射して点状に集光し、操作面１１ａから外部に出射する。したがって、この呼出ボタン１１の操作面１１ａの赤色の表示光を視認することで、カメラ付ドアホン子機１が通電されていることが確認可能とされる。
【００３５】
ここで、呼出ボタン１１に遮光部材２７を設けないと、通電表示用ＬＥＤ２３から発せられた赤色光は、広がりながら呼出ボタン１１の背面１１ｂへ照射される。その場合、図５に示すように、呼出ボタン１１では、その操作面１１ａの中心に、赤色の表示光Ｌｂが全体的にぼやけた感じで表示される（図５中ハッチング部分参照）。
【００３６】
これに対して、遮光部材２７を備えた本例では、通電表示用ＬＥＤ２３から発せられた赤色光Ｌｂが、操作面１１ａの中心に点状に集光する。これにより、図６に示すように、呼出ボタン１１は、その操作面１１ａの中心が赤色で点状に光ることとなる（図６中ハッチング部分参照）。
【００３７】
また、来訪者によって呼出ボタン１１が押下されると、呼出ボタン部材３１の弾性片３３が弾性変形することで、呼出ボタン１１が下方へ変位される。すると、この呼出ボタン１１のＴ字状突起１１ｄが呼出スイッチ２４に当接し、この呼出スイッチ２４が押下される。このとき、移動規制突起３８が回路基板２１に当接することで、呼出ボタン１１の移動が規制され、呼出ボタン１１の押し過ぎが防止される。呼出スイッチ２４が押下されると、カメラ１２が作動し、来訪者の映像がカメラ１２で撮影される。このカメラ１２からの映像信号は、別途設けられているＣＰＵに送信される。そして、ＣＰＵにおいて、カメラ１２からの映像信号に基づいて、撮影のための照度が不足していると判断されると、照明用ＬＥＤ２２が点灯する。この照明用ＬＥＤ２２の光は、遮光部材２７の遮光壁部４２の内部を通り、導光窓４１ｂから呼出ボタン１１のダイヤカットやシボ加工が施された背面１１ｂへ入射して拡散し、操作面１１ａを通過して前方へ出射する。これにより、呼出ボタン１１の操作面１１ａからは、中心の赤色の表示光の両側から照明光が照射され、来訪者は照明用ＬＥＤ２２からの照明光によって照らされる。これにより、来訪者は夜間等で暗い状況であってもカメラ１２によって良好に撮影される。したがって、居住者は、住居側の親機のモニタに映し出される来訪者の様子を的確に確認することができる。
【００３８】
ここで、呼出ボタン１１に遮光部材２７を設けないと、図７に示すように、通電表示用ＬＥＤ２３と照明用ＬＥＤ２２とが同時点灯した際に、通電表示用ＬＥＤ２３からの赤色の表示光Ｌｂと照明用ＬＥＤ２２からの白色で強い照明光Ｌｗとが混ざり、表示光Ｌｂがぼやけて視認性が低下する（図７中ハッチング部分参照）。
【００３９】
これに対して、遮光部材２７を備えた本例では、照明用ＬＥＤ２２と通電表示用ＬＥＤ２３との間が遮光部材２７で遮光されるので、通電表示用ＬＥＤ２３と照明用ＬＥＤ２２とが同時点灯した際に、通電表示用ＬＥＤ２３からの赤色の表示光Ｌｂと照明用ＬＥＤ２２からの白色で強い照明光Ｌｗとが別々に操作面１１ａに照射される。これにより、図８に示すように、照明光Ｌｗが出射する操作面１１ａの中心に、赤色の表示光Ｌｂがはっきりと点状に表示されることとなり、表示光Ｌｂの視認性が高められる（図８中ハッチング部分参照）。
【００４０】
尚、呼出ボタン１１が押下されたら、呼出信号が生成されて別途設けられているドアホン親機に対して伝送され、呼び出しが行われる機能は従来と同様であり、ここでは説明を省略する。
【００４１】
以上、説明したように、本実施形態に係るカメラ付ドアホン子機１によれば、照明用ＬＥＤ２２とともに通電表示用ＬＥＤ２３を呼出ボタン１１の背部に配置させたことで、呼出ボタン１１以外の部分に通電表示用ＬＥＤ２３を設置する別のスペースを確保する必要がない。そのため、ケース１０内の限られたスペースにおいて、スピーカやマイク等の他の部品を配置するスペースが確保しやすくなり、ケース１０内における部品を配置する設計自由度が向上する。また、呼出ボタン１１以外の部分に通電表示用ＬＥＤ２３を設置するための回路基板を別途設ける必要がない。このため、部品点数を削減することができるとともにケース１０内の内部構造を簡略化できる。したがって、組み立て作業が簡略化され、製造コストダウンが図れる。
【００４２】
また、照明用ＬＥＤ２２と通電表示用ＬＥＤ２３との間を遮光する遮光部材２７を備える。したがって、図７や図８を参照して説明したように、通電表示用ＬＥＤ２３からの赤色の表示光Ｌｂと照明用ＬＥＤ２２からの照明光Ｌｗとが混ざって表示光がぼやけることで生じる違和感を抑えることができる。このため、通電表示用ＬＥＤ２３からの表示光の視認性を高めることができる。
【００４３】
また、遮光部材２７の導光筒部４３によって、通電表示用ＬＥＤ２３の赤色の表示光Ｌｂは、遮光部材２７の導光筒部４３の導光孔４３ａを通り、呼出ボタン１１の背面１１ｂに導かれ、操作面１１ａの中心に形成された導光突起１１ｃに入射して点状に集光し、操作面１１ａから外部に出射する。このため、照明用ＬＥＤ２２から照明光Ｌｗが照射されている場合であっても、照明光Ｌｗが出射する操作面１１ａの中心に、赤色の表示光Ｌｂをはっきりと点状に表示させることができる（図８参照）。このように、本実施形態の構成によれば、通電表示用ＬＥＤ２３の表示光Ｌｂと照明用ＬＥＤ２２の照明光Ｌｗとが混ざることをさらに確実に抑制することができる。また、照明用ＬＥＤ２２から照明光Ｌｗが照射されていない場合であっても、図６に示すように、呼出ボタン１１は、その操作面１１ａの中心が赤色で点状に光ることとなる。このように、表示光Ｌｂを呼出ボタン１１に点状に表示させることによって視認性を高めることができる。
【００４４】
また、遮光部材２７の遮光壁部４２によって、照明用ＬＥＤ２２から前方以外の周囲へ向かう光を遮ることができる。これにより、来訪者へ向けて照明光Ｌｗを広く照射しつつ通電表示用ＬＥＤ２３の表示光Ｌｂに照明用ＬＥＤ２２の照明光が混ざることをより確実に抑制することができる。また、照明用ＬＥＤ２２の照明光が呼出ボタン１１以外へ漏洩することを抑制できる。
【００４５】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４６】
例えば、上記実施形態では、赤色の光を発する通電表示用ＬＥＤ２３を用いた場合を例示したが、通電表示用ＬＥＤ２３の光の色は赤色に限らず、例えば、青色などでも良い。
【００４７】
また、上記実施形態では、カメラ１２からの映像信号に基づいて、ＣＰＵが照度を割り出して照明用ＬＥＤ２２の点灯の判断を行うようにしたが、照度センサを設け、この照度センサからの検出信号によって照明用ＬＥＤ２２を点灯させるようにしても良い。
【符号の説明】
【００４８】
１：カメラ付ドアホン子機、１１：呼出ボタン、１２：カメラ、１３：マイク、１４：スピーカ、２２：照明用ＬＥＤ（照明用光源）、２３：通電表示用ＬＥＤ（通電表示用光源）、２７：遮光部材、４２：遮光壁部、４３：導光筒部、４３ａ：導光孔
【図１】
2015084484.tif 000003
【図２】
2015084484.tif 000004
【図３】
2015084484.tif 000005
【図４】
2015084484.tif 000006
【図５】
2015084484.tif 000007
【図６】
2015084484.tif 000008
【図７】
2015084484.tif 000009
【図８】
2015084484.tif 000010